【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
入力画像に基づき投影パネルで形成される投影画像をスクリーンに投影する投影手段と、
前記スクリーンを含む領域の撮像画像を取得する撮像手段と、
前記撮像画像に基づいて特定された前記スクリーンのアスペクト比と同一のアスペクト比の投影領域を、前記投影パネルで画像を形成可能な領域内に設定し、設定された前記投影領域内に、前記入力画像をレイアウトする制御手段と、
を有することを特徴とする投影装置。
【請求項２】
前記制御手段は、前記投影パネルで画像を形成可能な領域に内接するように前記投影領域を設定することを特徴とする請求項１に記載の投影装置。
【請求項３】
前記制御手段は、前記投影パネルで画像を形成可能な領域に内接するように前記投影領域を設定した後に、前記スクリーンの位置に基づいて前記投影領域を変形して変形投影領域を設定し、前記変形投影領域に前記入力画像をレイアウトすることを特徴とする、
請求項２に記載の投影装置。
【請求項４】
前記制御手段は、前記投影領域を示す矩形の頂点の位置を前記投影パネル上で移動させることにより、前記変形投影領域を設定することを特徴とする、
請求項３に記載の投影装置。
【請求項５】
前記制御手段は、前記変形投影領域の複数の頂点のうち少なくとも一つの頂点を、前記投影領域の外に設定することを特徴とする、
請求項３又は４に記載の投影装置。
【請求項６】
前記制御手段は、前記投影パネルで画像を形成可能な領域に含まれる、前記スクリーンのアスペクト比に対応するアスペクト比を有する複数の領域のうち、最大の領域を前記投影領域に設定することを特徴とする、
請求項１から５のいずれか１項に記載の投影装置。
【請求項７】
前記制御手段は、予め前記投影装置に設定されている前記投影領域のアスペクト比である投影アスペクト設定と、特定された前記スクリーンのアスペクト比とが異なる場合に、前記投影アスペクト設定を変更するか否かを問い合わせるダイアログを表示することを特徴とする、
請求項１から６のいずれか１項に記載の投影装置。
【請求項８】
前記制御手段は、前記ダイアログを表示した後にユーザの操作に応じて設定されたアスペクト比の領域を前記投影領域に設定することを特徴とする、
請求項７に記載の投影装置。
【請求項９】
前記投影領域のアスペクト比を設定する操作を受け付ける操作受付手段と、
前記入力画像を出力する画像出力装置と通信する通信手段と、
をさらに有し、
前記通信手段は、前記操作受付手段が受け付けた前記操作により設定された前記投影領域のアスペクト比に等しいアスペクト比の前記入力画像を出力する要求を前記画像出力装置に送信することを特徴とする、
請求項１から８のいずれか１項に記載の投影装置。
【請求項１０】
光源と、
前記光源から発せられた光を変調して画像を出力する液晶パネルと、
前記液晶パネルから出力された前記画像をスクリーンに投影する投影光学系と、
画像信号を取得する第１取得手段と、
前記投影面の前記スクリーンを含む領域を撮像して得られた撮像画像に基づいて、前記投影対象領域のアスペクト比を示す情報を取得する第２取得手段と、
前記画像信号に変形処理を施し、前記変形処理を施された前記画像信号に基づいて、前記液晶パネルを制御する制御手段と、
を備え、
前記制御手段は、前記スクリーンのアスペクト比に基づいて、縦方向及び横方向の少なくとも一方の方向において、前記スクリーンの長さと前記投影光学系によって投影された前記画像の長さとが等しくなるように、前記変形処理の変形パラメータを決定する
ことを特徴とする投影装置。
【請求項１１】
投影画像をスクリーンに投影する投影装置が実行する、
入力画像に基づき投影パネルで形成される前記投影画像をスクリーンに投影するステップと、
前記スクリーンを含む領域の撮像画像を取得するステップと、
前記撮像画像に基づいて特定された前記スクリーンのアスペクト比と同一のアスペクト比の投影領域を、前記投影パネルで画像を形成可能な領域内に設定するステップと、
前記投影領域内に、前記入力画像をレイアウトするステップと、
を有することを特徴とする投影方法。
【請求項１２】
前記投影パネルで画像を形成可能な領域に内接するように前記投影領域を設定するステップをさらに備えることを特徴とする請求項１１に記載の投影方法。
【請求項１３】
前記投影パネルで画像を形成可能な領域に内接するように前記投影領域を設定するステップの後に、前記スクリーンの位置に基づいて前記投影領域を変形して変形投影領域を設定するステップを有し、
前記入力画像をレイアウトするステップにおいて、前記変形投影領域に前記入力画像をレイアウトすることを特徴とする、
請求項１２に記載の投影方法。
【請求項１４】
前記投影パネルで画像を形成可能な領域に内接するように前記投影領域を設定するステップにおいて、前記投影パネルで画像を形成可能な領域に含まれる、前記スクリーンのアスペクト比に対応するアスペクト比を有する複数の領域のうち、最大の領域を前記投影領域に設定することを特徴とする、
請求項１２又は１３に記載の投影方法。
【請求項１５】
予め前記投影装置に設定されている前記投影領域のアスペクト比である投影アスペクト設定と、特定された前記スクリーンのアスペクト比とが異なる場合に、前記投影アスペクト設定を変更するか否かを問い合わせるダイアログを表示するステップをさらに有することを特徴とする、
請求項１１から１４のいずれか１項に記載の投影方法。
【請求項１６】
光源と、前記光源から発せられた光を変調して画像を出力する液晶パネルと、前記液晶パネルから出力された前記画像をスクリーンに投影する投影光学系と、を備える投影装置を用いた投影方法であって、
画像信号を取得するステップと、
前記投影面の前記スクリーンを含む領域を撮像して得られた撮像画像に基づいて、前記投影対象領域のアスペクト比を示す情報を取得するステップと、
前記スクリーンのアスペクト比に基づいて、縦方向及び横方向の少なくとも一方の方向において、前記スクリーンの長さと前記投影光学系によって投影された前記画像の長さとが等しくなるように、前記変形処理の変形パラメータを決定するステップと、
前記変形パラメータを用いて前記画像信号に変形処理を施すステップと、
前記変形処理を施された前記画像信号に基づいて、前記液晶パネルを制御するステップと、
を備えることを特徴とする投影方法。
【請求項１７】
入力画像に基づき投影パネルで形成される投影画像をスクリーンに投影する投影装置に前記入力画像を出力する画像出力装置であって、
前記スクリーンを撮影して得られた前記スクリーンを含む領域の撮像画像に含まれる前記投影画像に基づいて特定された前記スクリーンのアスペクト比と同一のアスペクト比の投影領域が、前記投影パネルで画像を形成可能な領域に内接するように設定された前記投影装置に対して、前記スクリーンのアスペクト比と同一のアスペクト比の前記入力画像を出力する出力手段を有することを特徴とする画像出力装置。
【請求項１８】
請求項１１乃至請求項１６のいずれか１項に記載の投影方法を、プロセッサによって実行させるためのプログラム。
【手続補正２】
【補正対象書類名】明細書
【補正対象項目名】０００６
【補正方法】変更
【補正の内容】
【０００６】
本発明の投影装置は、入力画像に基づき投影パネルで形成される投影画像をスクリーンに投影する投影手段と、前記スクリーンを含む領域の撮像画像を取得する撮像手段と、前記撮像画像に基づいて特定された前記スクリーンのアスペクト比と同一のアスペクト比の投影領域を、前記投影パネルで画像を形成可能な領域内に設定し、設定された前記投影領域内に、前記入力画像をレイアウトする制御手段と、を有することを特徴とする。
【手続補正３】
【補正対象書類名】明細書
【補正対象項目名】０００７
【補正方法】変更
【補正の内容】
【０００７】
本発明の投影方法は、入力画像に基づき投影パネルで形成される投影画像をスクリーンに投影するステップと、前記スクリーンを含む領域の撮像画像を取得するステップと、前記撮像画像に基づいて特定されたアスペクト比と同一のアスペクト比の投影領域を、前記投影パネルで画像を形成可能な領域内に設定するステップと、前記投影領域内に、前記入力画像をレイアウトするステップと、を有することを特徴とする。